【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  互いに対向する第１基板と第２基板との間に液晶層が挟持され、１つのドット領域内に透過表示領域と反射表示領域とを有する半透過反射型の液晶表示装置であって、
前記透過表示領域における液晶層厚と、前記反射表示領域における液晶層厚とが互いに異なっており、
前記第２基板の前記反射表示領域には、反射膜、高分子液晶を含む位相差層、透明導電膜がこの順で設けられ、前記第２基板の前記透過表示領域には、高分子液晶を含む位相差層、透明導電膜がこの順で設けられ、前記透過表示領域に設けられた前記位相差層の高分子液晶と、前記反射表示領域に設けられた前記位相差層の高分子液晶は、互いに異なる配向状態を有して構成されていることを特徴とする液晶表示装置。
【請求項２】  互いに対向する第１基板と第２基板との間に液晶層が挟持され、１つのドット領域内に透過表示領域と反射表示領域とを有する半透過反射型の液晶表示装置であって、
前記透過表示領域における液晶層厚と、反射表示領域における液晶層厚とが互いに異なっており、
前記第１基板と第２基板との間に、高分子液晶を含む位相差層が形成され、
前記位相差層の高分子液晶が、前記透過表示領域と反射表示領域とで異なる配向状態を有して構成され、前記透過表示領域における前記位相差層の高分子液晶はほぼランダムに配向されていることを特徴とする液晶表示装置。
【請求項３】  前記位相差層の高分子液晶が、前記透過表示領域と前記反射表示領域とで互いに異なる方向に配向されていることを特徴とする請求項１又は２に記載の液晶表示装置。
【請求項４】  前記位相差層の高分子液晶が、前記透過表示領域と前記反射表示領域とで互いに異なる方向に配向されてなり、前記位相差層の高分子液晶の配向方向が、前記透過表示領域と前記反射表示領域とで互いに略４５°異なっていることを特徴とする請求項１に記載の液晶表示装置。
【請求項５】  前記位相差層の前記液晶層と反対側に配向膜が設けられており、該配向膜の配向処理方向が、前記透過表示領域と前記反射表示領域とで互いに異なっていることを特徴とする請求項３に記載の液晶表示装置。
【請求項６】  前記位相差層の前記液晶層と反対側に配向膜が設けられており、該配向膜が前記反射表示領域に対応して設けられていることを特徴とする請求項３に記載の液晶表示装置。
【請求項７】  前記反射表示領域における液晶厚と、前記透過表示領域における液晶層厚とが互いに異なっており、
前記両領域の液晶層厚の差が、前記反射表示領域に設けられた前記配向膜により付与されたものであることを特徴とする請求項６に記載の液晶表示装置。
【請求項８】  前記第１基板又は第２基板の内面に、前記反射表示領域における液晶層厚と前記透過表示領域における液晶層厚とを異ならせるための液晶層厚調整層が設けられていることを特徴とする請求項１ないし６のいずれか１項に記載の液晶表示装置。
【請求項９】  前記反射表示領域に配置された前記反射膜と、前記位相差層との間には、反射表示用のカラーフィルタが設けられ、
前記第２基板と、前記透過表示領域に設けられた前記位相差層との間には、前記反射表示用のカラーフィルタよりも色純度の濃い透過表示用のカラーフィルタが設けられていることを特徴とする請求項１に記載の液晶表示装置。
【請求項１０】  前記反射表示領域における液晶層厚と透過表示領域における液晶層厚とを異ならせる液晶層厚調整層が、少なくとも前記反射膜と前記透明電極との間に設けられていることを特徴とする請求項１又は９に記載の液晶表示装置。
【請求項１１】  前記液晶層を構成する液晶が、９０°のツイスト角を有するツイステッドネマチック液晶であり、前記第１基板及び第２基板にそれぞれ偏光板が設けられており、
前記第１基板の偏光板の透過軸の方向と、該第１基板に隣接する位置の液晶分子の配向方向とが、略平行又は略垂直に配置され、
前記第２基板の偏光板の透過軸の方向と、該第２基板に隣接する位置の液晶分子の配向方向とが、略平行又は略垂直に配置されていることを特徴とする請求項１ないし１０のいずれか１項に記載の液晶表示装置。
【請求項１２】  前記第１基板に偏光板が設けられ、前記反射表示領域に形成された位相差層が１００〜２００ｎｍのリタデーション値を有し、透過光に略１／４波長のリタデーションを生じさせるものとされており、
前記反射表示領域における前記位相差層の遅相軸の方向と、前記第１基板に設けられた偏光板の透過軸の方向とが、略４５°の角度を成して配置されていることを特徴とする請求項１ないし１１のいずれか１項に記載の液晶表示装置。
【請求項１３】  前記第１基板に偏光板が設けられ、前記反射表示領域に形成された位相差層が１００〜２００ｎｍのリタデーション値を有し、透過光に略１／４波長のリタデーションを生じさせるものとされており、
前記反射表示領域における前記位相差層の遅相軸の方向と、前記第１基板に設けられた偏光板の透過軸の方向とが、略４５°の角度を成して配置されてなり、前記透過表示領域における前記位相差層の遅相軸の方向と、前記第２基板に設けられた偏光板の透過軸の方向とが、略平行とされており、
前記遅相軸の方向と、前記第１基板に設けられた偏光板の透過軸の方向とが略平行又は略垂直とされていることを特徴とする請求項１、３ないし１１のいずれか一項に記載の液晶表示装置。
【請求項１４】  前記反射表示領域における液晶層の屈折率異方性（Δｎ）と、液晶層厚（ｄ）との積Δｎｄが、１３０ｎｍ以上３４０ｎｍ以下であり、前記透過表示領域における液晶層の屈折率異方性（Δｎ）と、液晶層厚（ｄ）との積Δｎｄが、３２０ｎｍ以上であることを特徴とする請求項１ないし１３のいずれか１項に記載の液晶表示装置。
【請求項１５】  前記位相差層の前記液晶層側に、保護層が形成されていることを特徴とする請求項１ないし１４のいずれか１項に記載の液晶表示装置。
【請求項１６】  請求項１又は１５に記載の液晶表示装置の製造方法であって、
前記第１基板又は前記第２基板内面の前記反射表示領域に対応した領域に配向膜を形成する工程と、
前記第１基板又は前記第２基板の内面側に高分子液晶を含む位相差層を形成する工程と、
を有することを特徴とする液晶表示装置の製造方法。
【請求項１７】  請求項１又は１５に記載の液晶表示装置の製造方法であって、
前記第１基板又は前記第２基板の内面に配向膜を形成する工程と、
前記反射表示領域に対応した領域に配向処理を施す工程と、
前記第１基板又は前記第２基板の内面側に高分子液晶を含む位相差層を形成する工程と、
を有することを特徴とする液晶表示装置の製造方法。
【請求項１８】  前記第１基板又は前記第２基板の内面に配向膜を形成し、該配向膜をフォトプロセスを用いてパターニングされたフォトレジストをマスクとして部分的に除去することで、前記反射表示領域に対応した領域に配向膜を形成することを特徴とする請求項１６に記載の液晶表示装置の製造方法。
【請求項１９】  前記配向膜を、感光性ポリイミドを用いて形成することを特徴とする請求項１８に記載の液晶表示装置の製造方法。
【請求項２０】  前記配向膜上に、フォトプロセスを用いてパターニングされたフォトレジストを形成し、該フォトレジストをマスクとして前記配向膜の反射表示領域に対応した領域にラビング処理を施すことを特徴とする請求項１７に記載の液晶表示装置。
【請求項２１】  前記フォトプロセスによりパターニングされたフォトレジストを形成するに際して、
前記第２基板内面の前記反射表示領域に対応した領域に金属反射膜を形成する工程と、
前記金属反射膜上に前記配向膜を形成する工程と、
前記配向膜上にフォトレジストを塗布する工程と、
前記フォトレジストを前記金属反射膜をマスクとして露光し、パターニングする工程と、
を行うことを特徴とする請求項１８ないし２０のいずれか１項に記載の液晶表示装置の製造方法。
【請求項２２】  前記反射表示領域にあたる領域のみに前記配向膜を形成するに際して、
前記第２基板内面の前記反射表示領域にあたる領域に金属反射膜を形成する工程と、
前記金属反射膜上に感光性ポリイミドを塗布して配向膜を形成する工程と、
前記金属反射膜をマスクとして前記感光性ポリイミドを露光し、前記配向膜をパターニングする工程と、
を行うことを特徴とする請求項１６に記載の液晶表示装置の製造方法。
【請求項２３】  請求項１ないし１５のいずれか１項に記載の液晶表示装置を備えたことを特徴とする電子機器。
【手続補正２】
【補正対象書類名】明細書
【補正対象項目名】０００７
【補正方法】変更
【補正の内容】
【０００７】
【課題を解決するための手段】
本発明の液晶表示装置は、上記課題を解決するために、互いに対向する第１基板と第２基板との間に液晶層が挟持され、１つのドット領域内に透過表示領域と反射表示領域とを有する半透過反射型の液晶表示装置であって、前記透過表示領域における液晶層厚と、前記反射表示領域における液晶層厚とが互いに異なっており、前記第２基板の前記反射表示領域には、反射膜、高分子液晶を含む位相差層、透明導電膜がこの順で設けられ、前記第２基板の前記透過表示領域には、高分子液晶を含む位相差層、透明導電膜がこの順で設けられ、前記透過表示領域に設けられた前記位相差層の高分子液晶と、前記反射表示領域に設けられた前記位相差層の高分子液晶は、互いに異なる配向状態を有して構成されていることを特徴とする。
また、本発明の液晶表示装置は、上記課題を解決するために、互いに互いに対向する第１基板と第２基板との間に液晶層が挟持され、１つのドット領域内に透過表示領域と反射表示領域とを有する半透過反射型の液晶表示装置であって、前記透過表示領域における液晶層厚と、反射表示領域における液晶層厚とが互いに異なっており、前記第１基板と第２基板との間に、高分子液晶を含む位相差層が形成され、前記位相差層の高分子液晶が、前記透過表示領域と反射表示領域とで異なる配向状態を有して構成され、前記透過表示領域における前記位相差層の高分子液晶はほぼランダムに配向されていることを特徴とする。